(57)【要約】【課題】遊技者による不正な設定モードへの変更を防止することかできる回胴式遊技機を提供する。【解決手段】本回胴式遊技機は、遊技者が遊技を行なう遊技モードと、遊技場側で入賞する確率を設定するための設定モードとを有する。また、本回胴式遊技機は、設定モードであることを示す設定中信号を外部装置に送出するための設定中信号中継手段（端子ＣＮ１の１１と１２、ＣＮ３の３と４及びインターフェイス回路（ホトモスリレーＰＭ２，Ｒ８，Ｃ１０））と、前面ドアが開放されたことを示すドア開放信号を外部装置に送出するためのドア開放信号中継手段（端子ＣＮ１の９と１０、ＣＮ３の１と２及びインターフェイス回路（ホトモスリレーＰＭ１，Ｒ７，Ｃ９））と、を備える。【選択図】    図４
2005000361.tif 000002
【特許請求の範囲】
【請求項１】
遊技者が遊技を行なう遊技モードと、遊技場側で入賞する確率を設定するための設定モードとを有する回胴式遊技機において、
前記設定モードであることを示す設定中信号を外部装置に送出するための設定中信号中継手段と、前面ドアが開放されたことを示すドア開放信号を前記外部装置に送出するためのドア開放信号中継手段と、を備えることを特徴とする回胴式遊技機。
【請求項２】
前記設定中信号中継手段に設けられた、前記設定中信号を電気的に絶縁した状態で中継する第１インターフェイス回路と、前記ドア開放信号中継手段に設けられた、前記ドア開放信号を電気的に絶縁した状態で中継する第２インターフェイス回路とを備えることを特徴とする請求項１記載の回胴式遊技機。
【請求項３】
前記設定中信号中継手段及び前記ドア開放信号中継手段は、同一の端子板に設けられていることを特徴とする請求項１又は２記載の回胴式遊技機。
【発明の詳細な説明】
【０００１】
【発明の属する技術分野】
本発明は、遊技メダルを用いて遊技を行う回胴式遊技機に関するものである。
【０００２】
【従来の技術】
回胴式遊技機は、遊技者が遊技を行なう遊技モードと、遊技場側で入賞確率を設定するための設定モードとを備えている。遊技モードでは、遊技者が始動スイッチを操作すると、回胴を回転すると同時に、中央演算処理装置ＣＰＵにより入賞の抽選を行なう。また、遊技者が停止ボタンを操作すると、回胴の回転を停止し、入賞の抽選結果及び停止ボタンの操作タイミングに基づいて、所定数の賞メダルが払い出される。設定モードは、遊技場側で回胴式遊技機の入賞確率を設定するためのモードであり、例えば入賞確率を１〜６の６段階の間で自由に設定することができる。この設定モードにおいて入賞確率が高く設定された回胴式遊技機では、遊技者は容易に多くの賞メダルを獲得することができる。一方、入賞確率が低く設定された回胴式遊技機では、遊技者が多くの賞メダルを獲得することは難しい。この設定モードでの設定は、遊技場側で行なうものであり、遊技者がこの設定を行なうことはできない。
【０００３】
【特許文献１】
特開平５−１３１０６６号公報
【０００４】
【発明が解決しようとする課題】
しかしながら、最近、遊技モードの回胴式遊技機を不正に操作して設定モードに変更し、入賞確率が高くなるように設定変更して不正にメダルを獲得する不正行為が発生している。回胴式遊技機では、メダルを不正に詐取する不正行為を防止するために、従来から種々の防止策が講じられているが、このような不正な操作により遊技モードから設定モードに変更してメダルを詐取する行為に対しては、十分な対策が講じられていなかった。
【０００５】
本発明は上記事情に基づいてなされたものであり、遊技者による不正な設定モードへの変更を防止することかできる回胴式遊技機を提供することを目的とするものである。
【０００６】
【課題を解決するための手段】
上記の目的を達成するための本発明は、遊技者が遊技を行なう遊技モードと、遊技場側で入賞する確率を設定するための設定モードとを有する回胴式遊技機において、前記設定モードであることを示す設定中信号を外部装置に送出するための設定中信号中継手段と、前面ドアが開放されたことを示すドア開放信号を前記外部装置に送出するためのドア開放信号中継手段と、を備えることを特徴とするものである。
【０００７】
【発明の実施の形態】
以下に本発明の第１実施形態について図面を参照して説明する。図１は本発明の１実施形態である回胴式遊技機の概略正面図である。図１において、１は回胴式遊技機１００の機枠であり、機枠１の前面には前面ドア２が開閉自在に装着されている。前面ドア２の前面中央部には回胴回転装置２０の始動スイッチ５、回胴回転装置２０の停止ボタン７〜９、メダル投入口１０、回胴回転装置２０の回胴２０ａ〜２０ｃ、回胴回転装置２０の表示窓２０ｘ等が設けられている。また、前面ドア２の下部にはメダル受け皿４やメダル払出し口６が設けられている。図２は本発明の１実施形態である回胴式遊技機の前面ドア２を開いた状態の概略斜視図である。前面ドア２後方の機枠１内には、外部の装置との間で信号を送受信するユニットである外部集中端子板２７、外部のメダル供給装置から供給されたメダルを貯留するホッパーバスケット２２及びメダルを排出するメダル排出装置２３等が設けられている。メダル排出装置２３は有効ライン上のいずれかに予め定めた絵柄が揃ったときに、揃った絵柄に対応する所定数の賞メダルを排出するためのものである。電源ボックス４０には、リセットスイッチ２４、電源スイッチ４１及び回胴式遊技機を設定モードで立ち上げるための設定キー４２が設けられている。また、前面ドア２の背面には、入賞確率を変更するための設定スイッチ４３と入賞確率の設定値を数値で表示する設定表示器４４が設けられている。機枠１内には、上記のもの以外に、遊技機制御用の主ＣＰＵ基板を備える制御部２６等が設けられている。
【０００８】
メダル排出装置２３は貯留装置が使用可能な状態のときは貯留枚数が５０枚になるまでは貯留装置に貯留され、貯留枚数が５０枚を越える分はメダル払出し口６から払い出され、また貯留装置を使用していないときには、直接、メダル払出し口６からメダル受け皿４に払い出される。
【０００９】
図３は外部集中端子板のブロック図である。本実施形態の外部集中端子板２７は、本実施形態の回胴式遊技機１００と、時間測定装置１０１及び外部装置１０２との間で送受する信号を中継するものである。外部装置１０２とは、例えば遊技場に設置された多数の回胴式遊技機を管理する中央管理装置（ホールコンピュータ）のことである。この中央管理装置は、回胴式遊技機から送出される信号を管理し、また、遊技場内に配置された複数の監視カメラによる撮像方向を制御したり、監視カメラのズームを制御したりする。時間測定装置１０１は、回胴回転装置の停止時間を測定するための装置である。図３に示す外部集中端子板２７には、回胴式遊技機１００と時間測定装置１０１との間の信号を送受するためのリール停止インターフェイス回路２０１及びリール相信号インターフェイス回路２０２と、回胴式遊技機１００と外部装置１０２との間の信号を送受するための遊技状態インターフェイス回路３０１及び遊技機状態インターフェイス回路３０２と、電源回路４００とが設けられている。なお、電源回路４００は回胴式遊技機等から供給されるＤＣ２４Ｖを受けて必要な電圧（ＤＣ５Ｖ）に変換して各部分に、その電圧を供給する回路ある。また、図３では、説明の便宜上、外部集中端子板が回胴式遊技機１００の外部に配置されているように描かれているが、実際には、上述したように回胴式遊技機１００の内部に配置されている。また、リール停止インターフェイス回路２０１及びリール相信号インターフェイス回路２０２は、本発明とは、直接的な関係がないので、詳細な説明は省略する。
【００１０】
図４は外部集中端子板内の遊技状態インターフェイス回路及び遊技機状態インターフェイス回路の配線図である。遊技状態インターフェイス回路３０１は、図４に示すように、遊技メダル投入信号と遊技メダル払出信号と役物連続作動装置本当り信号と役物連続作動増加装置本当り信号と遊技状態予備信号とリセット信号とを中継する。また、遊技機状態インターフェイス回路３０２は、図４に示すように、ドア開放信号と設定中信号とを中継する。ここで、遊技状態インターフェイス回路の遊技状態というのは、遊技者が遊技を行っているときの各種の遊技の状態、例えばビッグボーナスやレギュラーボーナスとなっている状態のこという。また、遊技機状態インターフェイス回路の遊技機状態というのは、遊技機の状態、例えば前面ドア２が開いているのか閉じているのか等の遊技機の状態をいう。
【００１１】
遊技状態インターフェイス回路３０１は、中継する各信号毎に、ダイオードＤとリレーＲＹと抵抗ＲとコンデンサＣとを有するインターフェイス部を備えている。直列に接続された抵抗ＲとコンデンサＣはリレー接点の火花防止用、ダイオードＤはリレー回路遮断時にリレーの両端に誘起される過大起電力によるリレーの破壊防止用に設けられたものである。
【００１２】
また、遊技機状態インターフェイス回路３０２は、中継する各信号毎に、抵抗ＲとホトモスリレーＰＭとコンデンサＣとを有するインターフェイス部を備えている。抵抗Ｒは一次側発光素子の電流制限抵抗であり、コンデンサＣは出力スパイク電圧の保護用コンデンサである。なお、リレーＲＹ及びホトモスリレーＰＭは回胴式遊技機と外部装置である中央管理装置との間において、両者間の電気的絶縁を保持しつつ、制御情報（デジタル信号）の送受を可能にするものである。
【００１３】
図４に示す端子ＣＮ１の２，ＣＮ２の１及びインターフェイス回路（リレーＲＹ１，Ｄ２，Ｒ１，Ｃ３）は、遊技者が回胴式遊技機にメダルを投入したときに発せられる遊技メダル投入信号を中継するものである。端子ＣＮ１の３，ＣＮ２の２及びインターフェイス回路（リレーＲＹ２，Ｄ３，Ｒ２，Ｃ４）は、回胴式遊技機が賞メダルを払出したときに、その枚数に応じて発せられるパルス信号である遊技メダル払出信号を中継するものである。端子ＣＮ１の４，ＣＮ２の３及びインターフェイス回路（リレーＲＹ３，Ｄ４，Ｒ３，Ｃ５）は、遊技状態がレギュラーボーナスになったときに発せられるＯＮ信号である役物連続作動装置本当り信号を中継するものである。端子ＣＮ１の５，ＣＮ２の４及びインターフェイス回路（リレーＲＹ４，Ｄ５，Ｒ４，Ｃ６）は、遊技状態がビッグボーナスになったときに発せられるＯＮ信号である役物連続作動増加装置本当り信号を中継するものである。
【００１４】
端子ＣＮ１の６，ＣＮ２の５及びインターフェイス回路（リレーＲＹ５，Ｄ６，Ｒ５，Ｃ７）は、遊技状態予備信号を中継するものである。これらの端子ＣＮ１の６，ＣＮ２の５及びインターフェイス回路は、遊技状態を示す信号を出力するために予備的に設けられたものであり、遊技機メーカが任意に外部に信号を出力することができるようにと配慮したものである。端子ＣＮ１の７と８、ＣＮ２の７と８及びインターフェイス回路（リレーＲＹ６，Ｄ７，Ｒ６，Ｃ８）は、中央管理装置から遊技機の制御部２６に送出するリセット信号を中継するものである。
【００１５】
端子ＣＮ１の９と１０、ＣＮ３の１と２及びインターフェイス回路（ホトモスリレーＰＭ１，Ｒ７，Ｃ９）は、前面ドア２が開放されたときに発せられるドア開放信号を中継するもの（ドア開放信号中継手段）である。端子ＣＮ１の１１と１２、ＣＮ３の３と４及びインターフェイス回路（ホトモスリレーＰＭ２，Ｒ８，Ｃ１０）は、遊技機が設定モードとなっているときに発せられる設定中信号を中継するもの（設定中信号中継手段）である。ドア開放信号出力側の端子ＣＮ３の１と２及び設定中信号出力側の端子ＣＮ３の３と４から送出された信号により、中央管理装置によって制御されている監視カメラが、当該二つの信号を出力している回胴式遊技機を撮像し、監視モニタに表示する。
【００１６】
本実施形態の回胴式遊技機は、電源ボックス４０にある設定キー４２をオフ状態として電源スイッチ４１をオンすると、遊技モードで立ち上げることができる。遊技モードでは、遊技者は通常の遊技を楽しむことができる。まず、メダルをメダル投入口１０へ直接投入するか、又は、貯留装置（ソフト的に貯留メダル数を管理するもの）に貯留されているメダルの貯留メダル投入ボタンを押圧して投入するかのいずれかの方法を選択ボタンによって選択する。そして、例えば所定数のメダルを投入した後に、回胴回転装置２０の始動スイッチ５を操作する。これにより、制御部は回胴を回転させると同時に、入賞の抽選を行なう。次に、停止ボタン７〜９を任意に順次押圧して回胴を停止させる。回胴が停止したとき、回胴回転装置２０の表示窓２０ｘの上、中、下の有効ライン上及び斜めの有効ライン上のいずれかに予め定めた絵柄が揃ったときに、揃った絵柄に対応する所定数の賞メダルがメダル排出装置２３によってメダル払出し口６からメダル受け皿４に払い出される。有効ライン上に絵柄が揃わなければ、メダルの払出しは行われない。また、払い出されたメダルは、貯留ゲームのときは貯留枚数が５０枚になるまでは、貯留装置に貯留され、貯留枚数が５０枚を越える分はメダル払出し口６から払い出される。
【００１７】
また、本実施形態の回胴式遊技機は、遊技者が遊技を行なう遊技モードの他に、遊技場側で入賞確率を設定するための設定モードを備えている。設定モードでは、遊技場側は、例えば入賞確率を１〜６の６段階の間で自由に設定することができる。通常、この設定モードでの設定変更は、遊技場の営業が終了した後に、遊技場の従業員によって行なわれるが、営業中に行なわれる場合もある。以下では、遊技場の営業中に設定モードを変更する場合について説明する。
【００１８】
まず、遊技機の前面ドア２を開ける。これにより、前面ドア２が開放されたことを制御部が検知して前面ドア２が開放されたことを示すドア開放信号が外部集中端子板２７に送出される。このドア開放信号は、外部集中端子２７により電気的に絶縁された状態で中継されて中央管理装置に送られる。次に、電源ボックス４０にある電源スイッチ４１をＯＦＦし、更に設定キー４２をＯＮにする。そして再び電源スイッチ４１をＯＮにする。これにより、回胴式遊技機を設定モードで立ち上げることができる。次に、設定スイッチ４３を押圧して１〜６段階の希望する設定値に変更する。設定スイッチ４３を押圧する度に、設定値が順次１段階上る。変更された設定値は、設定表示器４４に１〜６の数値で表示される。設定スイッチ４３により希望する設定値を選択したら、始動スイッチを押圧して設定した値を登録する。最後に、再び電源スイッチ４１をＯＦＦする。これにより、回胴式遊技機の入賞の確率を希望の設定値に変更することができる。次に、設定キーをＯＦＦにして、再度電源スイッチをＯＮにすると、回胴式遊技機は遊技モードで立ち上がる。なお、設定モード中は、制御部から設定モードであることを示す設定中信号が外部集中端子板２７に送出される。この設定中信号は、外部集中端子２７により電気的に絶縁された状態で中継されて中央管理装置に送られる。また、設定モードでは、前面ドアを開放して設定操作を行なうので、前面ドアが開放されていることを示すドア開放信号も送出されている。
【００１９】
上述したように、設定モードで設定操作を行っているときには、ドア開放信号と設定中信号の２つの信号が外部集中端子板２７を経由して中央管理装置に出力される。中央管理装置は、これらの信号を送出した回胴式遊技機を監視カメラで撮像し、監視モニタの画面に表示する。これにより、遊技場の担当者は誰が回胴式遊技機を操作しているのかを画面上で容易に確認することができ、悪質な遊技者により行なわれる不正な設定モードへの変換を確実に監視することができる。
【００２０】
従来の回胴式遊技機では、遊技モードから設定モードに変更して入賞確率の変更を行なう場合、設定モードでの操作を行っている者を十分に監視することができなかった。これに対して、上記の本実施形態によれば、ドア開放信号中継用の端子ＣＮ１の９と１０、端子ＣＮ３の１と２、及びインターフェイス部（ホトモスリレーＰＭ１，Ｒ７，Ｃ９）を設けると共に、設定中信号中継用の端子ＣＮ１の１１と１２、端子ＣＮ３の３と４、及びインターフェイス部（ホトモスリレーＰＭ２，Ｒ８，Ｃ１０）を設けることにより、中央管理装置は、前面ドアが開放され設定モードに変更された回胴式遊技機を監視用モニタの画面に表示することができる。これにより、遊技場の警備担当者は誰がどの回胴式遊技機を設定モードにしているのかを容易に確認することができるので、悪質な遊技者による不正な設定モードへの変更を確実に監視することができる。
【００２１】
なお、本発明は、上記の実施形態に限定されるものではなく、その要旨の範囲内で種々の変形が可能である。例えば、営業中に前面ドアが開放されて設定モードに変更されたときには、監視カメラで撮像するだけでなく、警報を発するようにしてもよい。また、前面ドアが閉じた状態、すなわちドア開放信号が送られていないのに、設定中信号が送られてきた場合には、不正な操作により設定モードに変更された可能性が高いので、回胴式遊技機の操作を不能にする等の警報を発するようにしてもよい。
【００２２】
また、上記の実施形態では、ドア開放信号中継用のインターフェイス部及び設定中信号中継用のインターフェイス部にホトモスリレーを用いる場合について説明したが、本発明はこれに限定されるものではなく、これらのインターフェイス部には、遊技状態インターフェイス回路のインターフェイス部に用いた電磁式リレーを用いるようにしてもよい。
【００２３】
【発明の効果】
以上説明したように本発明によれば、第１インターフェイス回路を有する設定中信号中継手段と、第２インターフェイス回路を有するドア開放信号中継手段とを設けたことにより、遊技者による不正な設定モードへの変更を容易に監視することができ、この結果、悪質な遊技者による設定モードへの変更及び入賞確率の不正な変更による賞メダルの詐取を有効に防止することかできる回胴式遊技機を提供することができる。
【図面の簡単な説明】
【図１】本発明の１実施形態である回胴式遊技機の概略正面図である。
【図２】本発明の１実施形態である回胴式遊技機の前面ドアを開いた状態の概略斜視図である。
【図３】外部集中端子板のブロック図である。
【図４】遊技状態インターフェイス回路及び遊技機状態インターフェイス回路の配線図である。
【符号の説明】
１    機枠
２    前面ドア
４    メダル受け皿
５    始動スイッチ
６    メダル払出し口
７〜９    停止ボタン
１０    メダル投入口
２０    回胴回転装置
２０ａ〜２０ｃ    回胴
２０ｘ    表示窓
２２    ホッパーバスケット
２３    メダル排出装置
２４    リセットスイッチ
２６    制御部
２７    外部集中端子板
４０    電源ボックス
４１    電源スイッチ
４２    設定キー
４３    設定スイッチ
４４    設定表示器
１００    回胴式遊技機
１０１    時間測定装置
１０２    外部装置
３０１    遊技状態インターフェイス回路
３０２    遊技機状態インターフェイス回路
４００    電源回路
【図１】
2005000361.tif 000003
【図２】
2005000361.tif 000004
【図３】
2005000361.tif 000005
【図４】
2005000361.tif 000006